(57)【要約】【課題】  ネットワーク上で商品の売買を行う場合に、真正品以外の商品の流通を未然に防ぐための技術を提供すること。【解決手段】  商品が真正品であることを証明するための証明情報、商品に関する商品情報を、商品の現行のオーナーに関するオーナー情報と関連付けて管理しておき、ネットオークションに出品するための対象商品のオーナーが操作する端末装置から、対象商品をネットオークションに出品する旨の指示を受けると、このオーナーのオーナー情報、対象商品に関する情報の一部もしくは全部、及び管理する上記情報に基づいて、このオーナーが正規のオーナーであるか否かを判断し、正規のオーナーである場合、対象商品をネットオークションに出品するためのホームページを作成する。【選択図】  図１
2005196259.tif 000002
【特許請求の範囲】
【請求項１】
ネットオークションを運営するシステムに含まれる情報処理装置であって、
商品が真正品であることを証明するための証明情報を、当該商品を製造するメーカーが有する端末装置から入力する第１の入力手段と、
前記商品に関する商品情報を前記端末装置から入力する第２の入力手段と、
前記商品の現行のオーナーに関するオーナー情報を、前記第１，２の入力手段で入力した情報と関連付けて管理する第１の管理手段と、
前記ネットオークションに出品するための対象商品のオーナーが操作する端末装置から、当該対象商品を前記ネットオークションに出品する旨の指示を受けると、前記対象商品のオーナーのオーナー情報の一部もしくは全部、前記対象商品に関する商品情報の一部もしくは全部を前記対象商品のオーナーが操作する端末装置に対して要求する要求手段と、
前記要求手段が要求した情報、及び前記第１の管理手段が管理する情報に基づいて、前記対象商品のオーナーが正規のオーナーであるか否かを判断する判断手段と、
前記判断手段で前記対象商品のオーナーが正規のオーナーであると判断した場合、前記要求手段が要求した情報に基づいて、前記対象商品を前記ネットオークションに出品するためのホームページを作成する作成手段と
を備えることを特徴とする情報処理装置。
【請求項２】
前記判断手段は、前記要求手段が要求したオーナー情報に関連付けて前記第１の管理手段が管理する証明情報と、前記要求手段が要求した商品情報とを比較し、比較すべき部分が一致していれば、前記対象商品のオーナーが正規のオーナーであると判断することを特徴とする請求項１に記載の情報処理装置。
【請求項３】
更に、前記対象商品に対して入札する入札者に関する情報を管理する第２の管理手段と、
前記ネットオークションが終了した場合、前記対象商品のオーナーに関するオーナー情報を、前記第２の管理手段が管理する情報のうち、落札者に関する情報に更新する更新手段と
を備えることを特徴とする請求項１に記載の情報処理装置。
【請求項４】
ネットオークションを運営するシステムに含まれる情報処理装置が行う情報処理方法であって、
商品が真正品であることを証明するための証明情報を、当該商品を製造するメーカーが有する端末装置から入力する第１の入力工程と、
前記商品に関する商品情報を前記端末装置から入力する第２の入力工程と、
前記商品の現行のオーナーに関するオーナー情報を、前記第１，２の入力工程で入力した情報と関連付けて管理する第１の管理工程と、
前記ネットオークションに出品するための対象商品のオーナーが操作する端末装置から、当該対象商品を前記ネットオークションに出品する旨の指示を受けると、前記対象商品のオーナーのオーナー情報の一部もしくは全部、前記対象商品に関する商品情報の一部もしくは全部を前記対象商品のオーナーが操作する端末装置に対して要求する要求工程と、
前記要求工程で要求した情報、及び前記第１の管理工程で管理する情報に基づいて、前記対象商品のオーナーが正規のオーナーであるか否かを判断する判断工程と、
前記判断工程で前記対象商品のオーナーが正規のオーナーであると判断した場合、前記要求工程で要求した情報に基づいて、前記対象商品を前記ネットオークションに出品するためのホームページを作成する作成工程と
を備えることを特徴とする情報処理方法。
【請求項５】
コンピュータに請求項４に記載の情報処理方法を実行させることを特徴とするプログラム。
【請求項６】
請求項５に記載のプログラムを格納することを特徴とする、コンピュータ読み取り可能な記憶媒体。
【発明の詳細な説明】
【技術分野】
【０００１】
本発明は、ネットオークションを運営する為の技術に関するものである。
【背景技術】
【０００２】
ブランド品はその品質の優秀さや、また、所有者に一定のステータスを与える等の理由から、高額にもかかわらず、販売という点で非常に強い競争力を有している。しかし、高額であるにもかかわらず強い販売競争力を持つがゆえに、高級ブランドのバッグや時計などのコピー商品が製造され売買されている。最近ではコピー商品が精巧に作られているため、真正品と見分けることが困難である。そのために特に高級品に関しては、それが本物であるということを保証するために、保証書や証明書を商品に添付して販売を行っている。しかし保証書や証明書についてもコピーをして、そのコピーの保証書を添付してコピー商品を販売している悪質なケースも見られる。そこで、そのようなコピー商品の流通防止のために、特許文献１にあるような技術が開示されている。
【特許文献１】特開２００１−３５４３１０号公報
【発明の開示】
【発明が解決しようとする課題】
【０００３】
最近では、自分では使用しなくなった物をインターネットオークション等に出品し、販売するといったことが行われている。しかし、インターネット上のオークションでは、店舗で商品を購入するときのように実際に物を手にとって本物であるかを確認して購入するといったことはできない。
【０００４】
仮に悪意をもった人が、偽物を本物だとして出品した場合、それが取引されてしまうと購入者に被害が及ぶだけでなく、その偽物商品を出品したインターネットオークションの主催者も信用といった点で多大な迷惑を被ることになる。
【０００５】
本発明は以上の問題に鑑みてなされたものであり、ネットワーク上で商品の売買を行う場合に、真正品以外の商品の流通を未然に防ぐための技術を提供することを目的とする。
【課題を解決するための手段】
【０００６】
本発明の目的を達成するために、例えば本発明の情報処理装置は以下の構成を備える。
【０００７】
即ち、ネットオークションを運営するシステムに含まれる情報処理装置であって、
商品が真正品であることを証明するための証明情報を、当該商品を製造するメーカーが有する端末装置から入力する第１の入力手段と、
前記商品に関する商品情報を前記端末装置から入力する第２の入力手段と、
前記商品の現行のオーナーに関するオーナー情報を、前記第１，２の入力手段で入力した情報と関連付けて管理する第１の管理手段と、
前記ネットオークションに出品するための対象商品のオーナーが操作する端末装置から、当該対象商品を前記ネットオークションに出品する旨の指示を受けると、前記対象商品のオーナーのオーナー情報の一部もしくは全部、前記対象商品に関する商品情報の一部もしくは全部を前記対象商品のオーナーが操作する端末装置に対して要求する要求手段と、
前記要求手段が要求した情報、及び前記第１の管理手段が管理する情報に基づいて、前記対象商品のオーナーが正規のオーナーであるか否かを判断する判断手段と、
前記判断手段で前記対象商品のオーナーが正規のオーナーであると判断した場合、前記要求手段が要求した情報に基づいて、前記対象商品を前記ネットオークションに出品するためのホームページを作成する作成手段と
を備えることを特徴とする。
【０００８】
本発明の目的を達成するために、例えば本発明の情報処理方法は以下の構成を備える。
【０００９】
即ち、ネットオークションを運営するシステムに含まれる情報処理装置が行う情報処理方法であって、
商品が真正品であることを証明するための証明情報を、当該商品を製造するメーカーが有する端末装置から入力する第１の入力工程と、
前記商品に関する商品情報を前記端末装置から入力する第２の入力工程と、
前記商品の現行のオーナーに関するオーナー情報を、前記第１，２の入力工程で入力した情報と関連付けて管理する第１の管理工程と、
前記ネットオークションに出品するための対象商品のオーナーが操作する端末装置から、当該対象商品を前記ネットオークションに出品する旨の指示を受けると、前記対象商品のオーナーのオーナー情報の一部もしくは全部、前記対象商品に関する商品情報の一部もしくは全部を前記対象商品のオーナーが操作する端末装置に対して要求する要求工程と、
前記要求工程で要求した情報、及び前記第１の管理工程で管理する情報に基づいて、前記対象商品のオーナーが正規のオーナーであるか否かを判断する判断工程と、
前記判断工程で前記対象商品のオーナーが正規のオーナーであると判断した場合、前記要求工程で要求した情報に基づいて、前記対象商品を前記ネットオークションに出品するためのホームページを作成する作成工程と
を備えることを特徴とする。
【発明の効果】
【００１０】
本発明の構成によれば、ネットオークションに商品を流通させる場合に、真正品のみを流通させることができるので、より信頼性の高いネットオークションを実施することができる。
【００１１】
また、真正品のオーナーのみが、この真正品をネットオークションに出品させることができるので、出所の分からない商品がネットオークションに流通することは無くなるので、より信頼性の高いネットオークションを実施することができる。
【発明を実施するための最良の形態】
【００１２】
以下添付図面を参照して、本発明を好適な実施形態に従って詳細に説明する。
【００１３】
［第１の実施形態］
図１は本実施形態に係るシステムの基本構成を示す図である。本実施形態では、同図に示すシステムでもって、オークションを行う。即ち、ネットワーク上で商品の売買を行う「ネットオークション」を行う。
【００１４】
同図において１０１はＬＡＮやインターネットなどに代表されるネットワークで、このネットワーク１０１には後述の各装置が接続されており、夫々の装置はこのネットワーク１０１を介して互いにデータ通信を行う。
【００１５】
１０２は管理サーバで、オークションに出品される商品の真正証明を行うための各種の情報を管理する。この各種の情報に関しては後述する。
【００１６】
１０３は仲介業者端末で、オークションのシステムを運営する。
【００１７】
１０４は商品を購入するユーザ（以下、入札者と呼称する場合がある）が使用する端末装置（ユーザ端末）である。
【００１８】
１０５は商品を出品するユーザ（以下、出品者、もしくはオーナーと呼称する場合がある）が使用する端末装置（ユーザ端末）である。
【００１９】
１０６は出品される商品のメーカー側で使用される端末（メーカー端末）で、出品される商品を生成して流通させる前段で、この商品に係る情報を管理する。商品に係る情報にについては後述する。
【００２０】
図２は、上記各端末装置として機能するコンピュータの基本構成を示すブロック図である。なお、各装置によっては、図２に示した各部以外に加えてデバイスを付加しても良いし、逆に図２に示した各部から必要に応じてデバイスを削除しても良い。
【００２１】
２０１はＣＰＵで、ＲＡＭ２０２やＲＯＭ２０３に格納されているプログラムやデータを用いてコンピュータ全体の制御を行うと共に、コンピュータを適用する装置が行うべき後述の各処理を実行する。
【００２２】
２０２がＲＡＭで、ＨＤＤ２０４や記憶媒体ドライブ２０９からロードされたプログラムやデータを一時的に記憶するためのエリアを備えると共に、ＣＰＵ２０１が各種の処理を実行する際に使用するワークエリアを備える。
【００２３】
２０３はＲＯＭで、ここにブートプログラムやコンピュータの設定データなどを格納する。
【００２４】
２０４はＨＤＤ（ハードディスクドライブ）で、ここにＯＳや、コンピュータを適用する装置が行うべき後述の各処理をＣＰＵ２０１に実行させるためのプログラムやデータを保存させることができ、これらは必要に応じてＣＰＵ２０１の制御によりＲＡＭ２０２に読み出される。
【００２５】
２０５はネットワークＩ／Ｆ（インターフェース）で、コンピュータを上記ネットワーク１０１に接続するためのもので、コンピュータはこのネットワークＩ／Ｆ２０５を介してネットワーク１０１に接続された他の装置とのデータ通信を行う。
【００２６】
２０６はビデオＩ／Ｆ（インターフェース）で、ディスプレイ装置２１０をバス２１１に接続するためのもので、このビデオＩ／Ｆ２０６を介してディスプレイ装置２１０に表示すべき映像信号がディスプレイ装置２１０に出力される。
【００２７】
２０７はポインティングデバイスで、マウスやトラックボールなどにより構成されており、キーボード２０８と同様に、各種の指示をＣＰＵ２０１に対して入力することができる。
【００２８】
２０９は記憶媒体ドライブで、ＣＤ−ＲＯＭやＤＶＤ−ＲＯＭなどの記録媒体に記録されたプログラムやデータをＲＡＭ２０２やＨＤＤ２０４に読み出す。
【００２９】
２１０はディスプレイ装置２１０で、ＣＲＴや液晶画面などにより構成されており、システムメッセージやオークションに係る表示などを画像や文字などでもって表示する。
【００３０】
２１１は上述の各部を繋ぐバスである。
【００３１】
次に、ネットワーク上で商品の売買を行うためのネットオークションを図１に示したシステム上で行う場合について、システムを構成する各装置が行う処理について説明する。
【００３２】
＜出品する商品の真正証明＞
言うまでもなく、ネットオークションに出品される商品はメーカー側で作成されるものである。そして作成したこの商品は上記ネットオークションでもって流通されるおそれのあるものである。従って本実施形態ではメーカー側は商品を作成すると、先ず、作成した商品に関する情報（商品情報）を管理サーバ１０２に登録する。登録の形態は特に限定しないが、例えば、管理サーバ１０２が運営するホームページでもって登録するようにしても良い。
【００３３】
図６は、商品情報の一例を示す図である。同図に示すように、商品に関する情報としては、各商品に固有のＩＤである商品ＩＤ、各商品にメーカー側が付けたメーカーＩＤ、商品名、商品の型式番号（メーカー型番）、この商品に関するデータを公開するためのホームページのＵＲＬ、標準価格、この商品の発売日、商品の属するジャンルにより構成されている。なお、商品に関する情報を構成する各要素はこれに限定されるものではない。
【００３４】
次に、メーカー側は、作成した商品が真正品であることを証明するための情報（真正品証明情報）を、管理サーバ１０２に登録する。これにより、管理サーバ１０２にはメーカー側で作成した商品の真正品証明情報が登録されていることになる。
【００３５】
図３は、メーカー側で作成した商品の真正品証明情報を管理サーバ１０２に登録する為の処理のフローチャートである。
【００３６】
先ず、メーカー端末１０６の操作者はメーカー端末１０６が有するポインティングデバイス２０７やキーボード２０８を操作して、管理サーバ１０２にアクセスし、作成した商品が真正品であることを示す情報を真正品証明情報を管理サーバ１０２に登録するためのＧＵＩを管理サーバ１０２に要求するよう、ＣＰＵ２０１に指示する。
【００３７】
メーカー端末１０６のＣＰＵ２０１はこの指示を受けると、管理サーバ１０２にアクセスし、作成した商品が真正品であることを示す情報を真正品証明情報を管理サーバ１０２に登録するためのＧＵＩ（真正品証明情報作成用データ入力画面）を要求する（ステップＳ３０１）。
【００３８】
管理サーバ１０２のＣＰＵ２０１はこの要求を受け、要求されたＧＵＩのデータをメーカー端末１０６に返信する（ステップＳ３０２）。管理サーバ１０２のＨＤＤ２０４にはこのＧＵＩのデータが保存されており、メーカー端末１０６から要求があると、このデータをＲＡＭ２０２に読み出して、メーカー端末１０６に返信する。
【００３９】
メーカー端末１０６のＣＰＵ２０１はこのＧＵＩのデータを受けると、このデータに従った画面をディスプレイ装置２１０に表示させる（ステップＳ３０３）。メーカー端末１０６のユーザは、作成した商品固有のＩＤ（商品ＩＤ）、及び、この商品に対するメーカー型番（製品番号）を、このＧＵＩ上でポインティングデバイス２０７やキーボード２０８を用いて入力する。ＣＰＵ２０１はこの入力が完了した旨をポインティングデバイス２０７やキーボード２０８を用いて指示されるのを待ち（ステップＳ３０４）、入力完了の旨を受けると、入力されたＩＤ番号、及び製品番号のデータをＲＡＭ２０２中の所定の記録エリアに記憶させ（ステップＳ３０５）、これらを入力情報として、管理サーバ１０２に送信する（ステップＳ３０６）。
【００４０】
管理サーバ１０２のＣＰＵ２０１は、送信された入力情報を用いて、製品番号毎に固有の真正品証明情報を作成する（ステップＳ３０７）。図８は、真正品証明情報の一例を示す図である。
【００４１】
真正品証明情報は、メーカー端末１０６から受信した商品ＩＤ、製造番号、この商品（商品ＩＤが「Ｍ０２３９」である商品）が真正品であることをネットオークションに参加する何れのユーザも閲覧可能なホームページ（以下、ＨＰ）のＵＲＬにより構成されている。なお、このＨＰは、例えば、メーカー端末１０６から商品情報を受けた時点で、管理サーバ１０２のＣＰＵ１０２が作成したものである。その内容は、この商品をメーカー側が真正品であると証明する内容のものであれば、特に限定するものではない。
【００４２】
また、真正品証明情報を構成する各要素は同図に限定されるものではない。作成した真正品証明情報は、管理サーバ１０２のＨＤＤ２０４に保存する。
【００４３】
管理サーバ１０２のＣＰＵ２０１は、真正品証明情報の作成及び保存が完了すると、その旨をメーカー端末１０６に通知する（ステップＳ３０９）。例えば「登録完了」と記載されたホームページ画面のデータをメーカー端末１０６に送信し、メーカー端末１０６のディスプレイ装置２１０に表示させる。
【００４４】
以上の処理により、管理サーバ１０２にはメーカー側で作成した商品の真正品証明情報が登録される。
【００４５】
なお、この管理サーバ１０２が作成した真正品証明情報はメーカー端末１０６に送信されても良く、その場合、メーカー側でも、真正品証明情報を管理することができる。
【００４６】
＜出品＞
次に、商品を所有しているユーザ（オーナー）がネットオークションにこの商品を売りに出す（出品する）場合について説明する。
【００４７】
この商品は当然メーカーで生成されたものであり、この商品の商品情報、及びこの商品の真正品証明情報は上述の処理により、管理サーバ１０２に登録されている。また管理サーバ１０２は、この商品のオーナーであるユーザに関する情報（オーナー情報）、例えば名前や住所、年齢、購入年月日など、をこの商品の商品情報、真正品証明情報と関連付けて、管理サーバ１０２のＨＤＤ２０４に保存している。
【００４８】
図７は本実施形態に係るオーナー情報の構成を示す図である。同図ではオーナー情報は、各オーナーに固有のＩＤ、氏名、住所、電話番号、生年月日、ユーザ端末１０５のｅ−ｍａｉｌアドレスにより構成されている。なお、オーナー情報を構成する各要素はこれに限定されるものではない。
【００４９】
即ち管理サーバ１０２は、商品情報、真正品証明情報、オーナー情報を関連付けて保持することにより、各商品（当然真正品）がどのユーザに所有されているのかを示す情報を管理していることになる。
【００５０】
なお、この商品を購入した最初のオーナーのオーナー情報については、購入した店が有する端末装置や、購入したホームページ上から管理サーバ１０２にアクセスし、オーナー情報を登録することが必要である。
【００５１】
以下の説明では、オーナーが商品をネットオークションに出品する為に、このオーナーが使用する端末装置１０５、管理サーバ１０２、そして仲介業者端末１０３の夫々が行うべき動作について説明する。
【００５２】
図４は、商品を出品するオーナーが使用する端末装置１０５、管理サーバ１０２、仲介業者端末１０３の夫々により、出品を行うために行う処理のフローチャートである。
【００５３】
先ず、オーナーは、端末装置１０５のポインティングデバイス２０７やキーボード２０８を用いて、仲介業者端末１０３が運営する、出品する旨を登録する為のＨＰ（ホームページ）にアクセスするよう、ＣＰＵ２０１に指示する。ＣＰＵ２０１はこの指示を受けると、このＨＰにアクセスする（ステップＳ４０１）。
【００５４】
仲介業者端末１０３はこのアクセスを受けると、このＨＰの画面、即ち、出品登録画面のデータを仲介業者端末１０３のＨＤＤ２０４から読み出して端末装置１０５に返信する（ステップＳ４０２）。
【００５５】
この出品登録画面は、例えば出品する商品の画像や、この商品に対する説明文、落札開始金額、オーナーのペンネームを含むオーナー情報等を登録するためのものである。なお、クッキーを用いた周知の技術により、仲介業者端末１０３が端末装置１０５を識別できるのであれば、出品登録画面でのオーナー情報の登録は必要はない。また、この出品登録画面で登録すべき情報については特に限定するものではないが、少なくとも、オークションを実施可能な最低限の情報は登録する必要がある。本実施形態では少なくともオーナー情報の一部もしくは全部、商品情報の一部もしくは全部は含まれているものとする。
【００５６】
オーナーは出品登録画面において、端末装置１０５のポインティングデバイス２０７やキーボード２０８を用いて登録すべき情報を登録する。そして登録が完了すると、登録した情報を仲介業者端末１０３に送信する旨をポインティングデバイス２０７やキーボード２０８を用いてＣＰＵ２０１に指示する。
【００５７】
端末装置１０５のＣＰＵ２０１はこの指示を受けると、登録された情報（出品用情報）を仲介業者端末１０３に送信する（ステップＳ４０３）。仲介業者端末１０３のＣＰＵ２０１はこの出品用情報を受けると、このオーナーが、出品対象の商品の正規のオーナーであるか否か、出品対象の商品が真正品であるか否かを判断するために、この出品用情報に含まれているオーナー情報の一部、もしくは全部を管理サーバ１０２に送信する（ステップＳ４０４）。
【００５８】
上述の通り、管理サーバ１０２は、各真正品の商品情報、真正品証明情報、オーナー情報を夫々関連付けて管理しているので、仲介業者端末１０３からオーナー情報の一部、もしくは全部を受けると、これに一致するオーナー情報を特定し、更に特定したオーナー情報と関連付けられている商品情報、もしくは真正品証明情報を仲介業者端末１０３に送信する（ステップＳ４０５）。本実施形態では真正品証明情報を送信するものとするが、商品情報であっても良い。また同様の目的を達成するためには、ステップＳ４０４で仲介業者端末１０３のＣＰＵ１０２は、オーナー情報の一部もしくは全部を管理サーバ１０２に送信する代わりに、商品情報の一部もしくは全部を送信しても良い。
【００５９】
また、仲介業者端末１０３から管理サーバ１０２に送信されたオーナー情報の一部、もしくは全部に一致するオーナー情報が管理サーバ１０２に登録されていない場合、また、一致するオーナー情報に関連付けられている商品情報や真正品証明情報が存在しない場合には、その旨を示すデータが管理サーバ１０２から仲介業者端末１０３に送信される。
【００６０】
仲介業者端末１０３のＣＰＵ２０１は管理サーバ１０２から真正品証明情報を受けると、受けた真正品証明情報を参照すると共に、出品用情報に含まれる出品用情報を参照する。そして夫々を比較し、比較対象すべき部分が夫々一致していれば、このオーナーは出品対象の商品の正規のオーナーであると共に、この商品は真正品であると判断する（ステップＳ４０６）。例えば、真正品証明情報に含まれる製造番号と、出品用情報に含まれる出品用情報中の製造番号とが一致していれば、このオーナーは出品対象の商品の正規のオーナーであると共に、この商品は真正品であると判断する。
【００６１】
そして仲介業者端末１０３のＣＰＵ２０１は、このオーナーは出品対象の商品の正規のオーナーであると共に、この商品は真正品であると判断した場合には、出品する商品の画像や、この商品に対する説明文、落札開始金額等、出品用情報に含まれている情報を用いて、この商品をネットオークションでもって売買するための画面（商品販売用のＨＰの画面）を作成し（ステップＳ４０８）、更にこのＨＰにステップＳ４０５で管理サーバ１０２から送信された真正品証明情報に含まれる上記ＵＲＬをこのＨＰに付加して（より具体的には、このＨＰを記述するＨＴＭＬ中に、上記ＵＲＬを表示すると共に指示可能なようにタグを挿入する）（ステップＳ４０９）、ネットオークションに参加する何れのユーザも閲覧可能なホームページとして公開する（ステップＳ４１１）。
【００６２】
なお、このＨＰは、出品用情報に含まれるオーナー情報の一部もしくは全部、商品情報の一部もしくは全部に関連付けられて、ＨＤＤ２０４に保存される。
【００６３】
ＨＰの作成技術、及び作成したＨＰを公開するための技術については周知の技術であるので、その詳細な説明は省略する。また、商品販売用のＨＰに含めるべき情報については特に限定するものではない。
【００６４】
また、商品販売用のＨＰの公開を行うと共に、仲介業者端末１０３のＣＰＵ２０１は、公開した旨をメールなどでもって端末装置１０５に通知する（ステップＳ４１０）。
【００６５】
一方、仲介業者端末１０３から管理サーバ１０２に送信されたオーナー情報の一部、もしくは全部に一致するオーナー情報が管理サーバ１０２に登録されていない旨、もしくは一致するオーナー情報に関連付けられている商品情報や真正品証明情報が存在しない旨を示すデータが管理サーバ１０２から仲介業者端末１０３に送信された場合、仲介業者端末１０３は、このオーナーは出品対象の商品の正規のオーナーではない、及び／又は、この商品は真正品ではないと判断する（ステップＳ４０６−ＮＯ）。その場合、仲介業者端末１０３のＣＰＵ２０１は端末装置１０５に、出品対象の商品はネットオークションには出品できない旨を示すＨＰの画面のデータを送信する（登録不可通知）（ステップＳ４０７）。
【００６６】
なお、このＨＰの画面については特に限定しないが、出品対象の商品の正規のオーナーではない旨や、この商品は真正品ではないといった旨を示す文章が記載された画面であっても良い。また通知手段は特に限定するものではなく、メールであっても良い。
【００６７】
以上の処理により、真正品である商品のオーナーでないとこの商品を出品することができず、更に真正品のみしか出品することができないので、ネットオークションには必ず、正規のオーナーが出品した真正品のみが公開されることになり、より信頼性の高いネットオークションを実施することができる。
【００６８】
＜ネットオークション一連の処理＞
商品販売用のＨＰが公開された後、このＨＰを閲覧するユーザはこのＨＰでもって紹介された商品に対する購入意欲があれば、事前に登録が必要となる。本実施形態ではネットオークションに参加する入札者は、図７に示すオーナー情報を構成する各要素に対応する自身の情報を予め管理サーバ１０２が運営するＨＰを用いて事前に登録する。これにより、管理サーバ１０２は、ネットオークションに参加する入札者のオーナー情報についても管理することになる。
【００６９】
そして、この登録を行った入札者の端末装置からは仲介業者端末１０３が運営するネットオークションのＨＰでもってネットオークションに参加することができる。なお、入札者が自身の端末装置から入札金額を入力して仲介業者端末１０３に送信し、仲介業者端末１０３は最も高い金額を入札した入札者を商品販売用のＨＰ上に表示するといった処理は周知のものであるので、ここでの説明は省略する。
【００７０】
従来のネットオークションでは、現在時刻が入札期限時刻を過ぎたことによりネットオークションが終了した後、出品者と落札者との間でお金と商品との受け渡しが行われて一連のオークションは終了するのであるが、本実施形態ではこれに加えて、落札された商品のオーナー情報を出品者のオーナー情報から落札者のオーナー情報に変更する点が従来とは異なる。
【００７１】
図５は、オーナーが出品した商品がネットオークションで落札者によって落札された場合に、仲介業者端末１０３、管理サーバ１０２の夫々が行う処理のフローチャートである。
【００７２】
オーナーが上記処理により出品した商品に対するネットオークションが開始されると（商品販売用のＨＰが公開されると）、仲介業者端末１０３はこの商品を購入しようとする入札者の使用する端末装置１０４から落札金額を示すデータを受け、最も高い金額を示すデータを送信したユーザのペンネームなどを同ＨＰ上に表示するといった、周知の一連のオークション処理を制御する（ステップＳ６０１）。
【００７３】
またネットオークション中に、入札者はこのＨＰ上に表示されている上記ＵＲＬを自身の端末装置１０４のポインティングデバイス２０７やキーボード２０８を用いて指示すると、端末装置１０４のＣＰＵ１０２はこのＵＲＬで指定されるアクセス先の装置（例えば仲介業者端末１０３）にアクセスし、アクセス先の装置が提供する、この商品が真正品であることを公開するためのホームページのデータを受信し、このデータに従った表示画面を、端末装置１０４のディスプレイ装置２１０に表示させる。これにより、入札者は、この商品は真正品であることを認知することができ、安心して入札することができる。
【００７４】
仲介業者端末１０３のＣＰＵ２０１は常に時間を計時しており、現在の時間が、この商品に対して予め設けられた落札期限（出品者であるオーナーが出品用情報に含めて登録するようにしても良い）を越えた場合には、このオークションを終了させる処理を行う。
【００７５】
従ってＣＰＵ２０１は常に、計時している現在の時刻が落札期限を越えているか否かを判断しており（ステップＳ６０２）、越えていれば、処理をステップＳ６０３に進め、越えていなければ処理をステップＳ６０１に戻してネットオークションを続ける。
【００７６】
そしてネットオークションが終了し、落札者と出品者であるオーナーとの間でお金と商品との取引が成されると確定し、互いの端末装置（もしくは一方側の端末装置でも良い）から、オーナーを元のオーナーから落札者に移行しても良いという指示が仲介業者端末１０３のＣＰＵ２０１に入力された場合には（ステップＳ６０３）、仲介業者端末１０３のＣＰＵ２０１は管理サーバ１０２にオーナーの変更指示を送信する（ステップＳ６０４）。このオーナーの変更指示には、管理サーバ１０２のＣＰＵ２０１に、オーナー情報を変更させるための指示データだけでなく、「出品者のオーナー情報」、「落札者を識別する情報」、「落札された商品の商品情報の一部もしくは全部」が含まれている。
【００７７】
「出品者のオーナー情報」、「落札された商品の商品情報の一部もしくは全部」については、落札された商品の商品販売用のＨＰに関連付けて仲介業者端末１０３が管理しているものである。
【００７８】
また、「落札者を識別する情報」については、仲介業者端末１０３はどのユーザからアクセスがあったかを周知の技術でもって識別しているので、例えばユーザの端末装置から送信されるクッキーに含められている、このユーザを特定する情報である。いずれにしても、管理サーバ１０２が管理する複数人のオーナー情報のうち１つを特定できるものであれば、「落札者を特定する情報」は特に限定するものではない。
【００７９】
管理サーバ１０２のＣＰＵ１０２はこのような一連のデータを受けると、「出品者のオーナー情報」、「落札された商品の商品情報の一部もしくは全部」をキーとしてＨＤＤ２０４内を検索し、一致するオーナー情報、商品情報を特定する。当然、特定したオーナー情報、商品情報は関連付けられてＨＤＤ２０４内に保持されているものである。
【００８０】
そして管理サーバ１０２のＣＰＵ１０２は、仲介業者端末１０３から送信された「落札者を識別する情報」でもって、自身のＨＤＤ２０４内に管理している「ネットオークションに参加しているユーザのオーナー情報」のうち１つを特定する。そして、特定した出品者のオーナー情報を、特定した落札者のオーナー情報に更新する処理を行う（ステップＳ６０５）。これにより、以降、落札された商品のオーナーは落札者に移行する。
【００８１】
この際に、当該落札された商品の過去のオーナーの履歴についても管理する方法を採用しても良い。また、落札者決定後、出品者が実際に商品を手放さなかった、落札者が商品の代金を支払わなかった等の理由で実際に商品の受け渡しが行われなかった場合などには、それら情報を合わせて管理しても良い。そして、出品者が商品を手放さなかったことにより商品の受け渡しが行われなかった情報がある商品については、今後についても当該出品者が同様のことをする可能性があるので、当該商品についての、もしくは当該出品者からの商品の出品を事前に防ぐなどの対処をすることも可能になる。
【００８２】
また管理サーバ１０２のＣＰＵ１０２は、この変更の通知を、落札者のユーザ端末１０４、出品者のユーザ端末１０５に対して行う（ステップＳ６０６）。この通知は、落札者、出品者の夫々のオーナー情報に含められているｅ−ｍａｉｌアドレスを参照し、このアドレスにオーナー変更の旨を記載したメールを送信すればよい。このメールに記載すべき情報は特に限定しないが、例えば、出品者のペンネーム、落札者のペンネームを記載したものであっても良いし、落札者に送信されるメールは出品者のペンネームが記載されたメール、出品者に送信されるメールは落札者のペンネームが記載されたメールであっても良い。
【００８３】
またこの通知はこの商品を製造したメーカーに対して行っても良く、その場合、商品情報にこのメーカーのメールアドレスを含めておけば、管理サーバ１０２のＣＰＵ１０２はこのメールアドレスを参照し、このアドレスにオーナー変更の旨を記載したメールをメーカー端末１０６に送信することができる。これにより、メーカー側では常に、自社の製品がどのオーナーの手元にあるかを把握することができる。また、メーカー端末１０６に送信する情報はこれに限定されるものではなく、例えば落札金額を示す情報を送信すれば、メーカー側では、自社の製品の流通価格を知ることができ、この商品の価値などを把握する等、各種の分析を行うことができる。
【００８４】
以上の説明により、本実施形態に係るシステムは、ネットオークションに商品を流通させる場合に、真正品のみを流通させることができる。
【００８５】
なお、本実施形態ではネットオークションを運営する装置（仲介業者端末１０３）と、オーナー情報、商品情報、真正品証明情報を管理する装置（管理サーバ１０２）とは別個の装置としたが、同一の装置でもって実現しても良い。
【００８６】
［第２の実施形態］
本実施形態では、オーナーには１つの商品に対するパスワードを発行する。このパスワードは、オーナーがこの商品を購入した際に、管理サーバ１０２に対してオーナーが登録したものである。その場合、オーナー情報には、このパスワードも含まれる。
【００８７】
ここで、パスワードが発行された商品をネットオークションでもって落札者に売り渡す場合に仲介業者端末１０３が行う処理については図５のフローチャートにおいて、ステップＳ６０３で第１の実施形態に加えて、先ずこのオーナーのパスワードを消去する。そして、落札者の端末装置１０４に、パスワードを設定させるための画面のデータを送信し、この画面において入力されたパスワードのデータが端末装置１０４から返信されるのを待つ。
【００８８】
そしてこのパスワードのデータを受けると共に、出品者、落札者の端末装置（もしくは一方側の端末装置でも良い）から、オーナーを元のオーナーから落札者に移行しても良いという指示を受けた場合には、処理をステップＳ６０４に移行する。以降の処理は第１の実施形態と同じである。
【００８９】
なお、このパスワードの数はその使用用途に応じて複数でも良い。また、パスワードの設定は落札者が設定せずに、仲介業者端末１０３が乱数や落札者の名前や誕生日などを用いて作成するようにしても良い。
【００９０】
［その他の実施形態］
本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【００９１】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９２】
さらに、記録媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９３】
本発明を上記記録媒体に適用する場合、その記録媒体には、先に説明したフローチャートに対応するプログラムコードが格納されることになる。
【図面の簡単な説明】
【００９４】
【図１】本発明の第１の実施形態に係るシステムの基本構成を示す図である。
【図２】図１に示した各端末装置として機能するコンピュータの基本構成を示すブロック図である。
【図３】メーカー側で作成した商品の真正品証明情報を管理サーバ１０２に登録する為の処理のフローチャートである。
【図４】商品を出品するオーナーが使用する端末装置１０５、管理サーバ１０２、仲介業者端末１０３の夫々により、出品を行うために行う処理のフローチャートである。
【図５】オーナーが出品した商品がネットオークションで落札者によって落札された場合に、仲介業者端末１０３、管理サーバ１０２の夫々が行う処理のフローチャートである。
【図６】商品情報の一例を示す図である。
【図７】本発明の第１の実施形態に係るオーナー情報の構成を示す図である。
【図８】真正品証明情報の一例を示す図である。
【図１】
2005196259.tif 000003
【図２】
2005196259.tif 000004
【図３】
2005196259.tif 000005
【図４】
2005196259.tif 000006
【図５】
2005196259.tif 000007
【図６】
2005196259.tif 000008
【図７】
2005196259.tif 000009
【図８】
2005196259.tif 000010